(57)【要約】【課題】  空気調和機の運転あるいはフィルター装置の自動清掃運転を使用者が容易に認識できる空気調和機を提供すること。【解決手段】  室内ユニットを備えた空気調和機に、熱交換器を通過する空気の塵埃を除去するエアフィルター２と、エアーフィルター２に沿って摺動自在の吸引ノズル３と、吸引ノズル３に連結された吸引装置６により構成されるフィルター装置を設け、空気調和機の運転あるいはフィルター装置の自動清掃運転を認識できる認識手段８を室内ユニットの本体あるいは吸引ノズル３に摺動自在に設けた。【選択図】図１
2006153427.tif 000002
【特許請求の範囲】
【請求項１】
室内ユニットを備えた空気調和機であって、
空気調和機の運転を認識できる認識手段を室内ユニットの本体に摺動自在に設けたことを特徴とする空気調和機。
【請求項２】
室内ユニットを備えた空気調和機であって、
前記室内ユニットに設けられた熱交換器を通過する空気の塵埃を除去するエアフィルターと、該エアーフィルターに沿って摺動自在の吸引ノズルと、該吸引ノズルに連結された吸引装置により構成されるフィルター装置を備え、該フィルター装置の自動清掃運転を認識できる認識手段を前記吸引ノズルに取り付け、自動清掃運転時、前記認識手段を前記吸引ノズルとともに摺動させるようにしたことを特徴とする空気調和機。
【請求項３】
前記認識手段が視覚を通して認識できるものであることを特徴とする請求項１あるいは２に記載の空気調和機。
【請求項４】
前記認識手段が光源であることを特徴とする請求項３に記載の空気調和機。
【請求項５】
前記認識手段が聴覚を通して認識できるものであることを特徴とする請求項１あるいは２に記載の空気調和機。
【請求項６】
前記認識手段が音源であることを特徴とする請求項５に記載の空気調和機。
【発明の詳細な説明】
【技術分野】
【０００１】
本発明は、室内ユニットの空気吸込口に設けられたエアフィルターを自動的に清掃する機能を備えた空気調和機に関する。
【背景技術】
【０００２】
従来の空気調和機のフィルター装置は、熱交換器の前面に、空気調和機の本体内部へ埃が侵入することを防ぐためのエアフィルターが設けられており、このエアフィルターは付着した塵埃を手で清掃できるように着脱自在に構成されている。こうした構成でのフィルター装置は頻繁なメンテナンスが必要となるだけでなく、メンテナンスが行われるまでの間にはエアフィルターが徐々に目詰まりしていき、その結果、熱交換器を通過する風量が低下し、空調能力が低下して消費電力の増大につながることとなる。
【０００３】
このため、エアフィルターのメンテナンスの手間を低減する目的で、吸引部が可動して、エアフィルターに付着した塵埃を定期的に清掃する自動清掃装置が提案されている（例えば、特許文献１参照。）。
【０００４】
【特許文献１】特開２００２−３４０３９５号公報
【発明の開示】
【発明が解決しようとする課題】
【０００５】
しかしながら、上記従来技術では、可動する吸引部は空気調和機の内部にあって外側から見えないため、使用者が、エアフィルターの自動清掃が確実に行われているか分かり難いという課題があった。また、空気調和機の運転表示灯は取り付けられているものの、容易に視認できるものとは言い難く、空気調和機の運転も分かり難いという課題もあった。
【０００６】
本発明は、従来技術の有するこのような問題点に鑑みてなされたものであり、空気調和機の運転あるいはフィルター装置の自動清掃運転を使用者が容易に認識できる空気調和機を提供することを目的としている。
【課題を解決するための手段】
【０００７】
上記目的を達成するために、本発明は、室内ユニットを備えた空気調和機であって、空気調和機の運転を認識できる認識手段を室内ユニットの本体に摺動自在に設けたことを特徴とする。
【０００８】
また、本発明は、室内ユニットに設けられた熱交換器を通過する空気の塵埃を除去するエアフィルターと、該エアーフィルターに沿って摺動自在の吸引ノズルと、該吸引ノズルに連結された吸引装置により構成されるフィルター装置を備え、該フィルター装置の自動清掃運転を認識できる認識手段を前記吸引ノズルに取り付け、自動清掃運転時、前記認識手段を前記吸引ノズルとともに摺動させるようにしたことを特徴とする。
【０００９】
また、認識手段は視覚あるいは聴覚を通して認識できるものであり、光源あるいは音源を認識手段として採用することができる。
【発明の効果】
【００１０】
本発明によれば、空気調和機の運転あるいはフィルター装置の自動清掃運転を認識できる認識手段を室内ユニットの本体あるいは吸引ノズルに摺動自在に設けたので、空気調和機の運転あるいはフィルター装置の自動清掃運転を使用者は容易に認識することができる。
【発明を実施するための最良の形態】
【００１１】
以下、本発明の実施の形態について、図面を参照しながら説明する。
実施の形態１．
図１は本発明の実施の形態１にかかる空気調和機の室内ユニットに設けられたフィルター装置の構成例を示した図である。図１に示されるように、本実施の形態にかかるフィルター装置は、フィルター枠１と、フィルター枠１に支持固定され、熱交換器を通過する空気の塵埃を除去するエアフィルター２と、エアフィルター２の表面に沿って摺動自在の吸引ノズル３とを備えている。
【００１２】
吸引ノズル３は、フィルター枠１の上下端に設置された一対のガイドレール４により、エアフィルター２と極めて狭い間隙を保って円滑に左右に摺動することができ、エアフィルター上に付着した塵埃はこの吸引ノズル３より吸引される。また、吸引ノズル３には吸引ダクト５の一端が連結され、吸引ダクト５の他端は吸引装置６に連結される。吸引ダクト５は吸引ノズル３の摺動に差し支えないように折り曲げ可能なダクトで形成される。さらに、吸引装置６には排気ダクト７が連結され、室外へ引き回される。吸引ノズル３により吸引されたエアフィルターの塵埃は吸引ダクト５、吸引装置６、排気ダクト７を経由して室外へ排出される。
【００１３】
また、吸引ノズル３には、光源８と光源８を保持する光源ホルダ９が取り付けられており、光源８は使用者が容易に視認できる位置に設けられている。
【００１４】
以上のような構成により、自動清掃運転が開始すると、吸引装置６が吸引ノズル３から空気を吸引し、吸引ノズル３が左右に移動することで、エアフィルター２に付着した粉塵は吸引ノズル３に吸引される。したがって、吸引ノズル３に備えられた光源８を点灯もしくは点滅させることで、光源８の光は吸引ノズル３と共に左右に移動する。
【００１５】
通常使用時には、図１に示されるフィルター装置は、その前面を覆う前面パネル（図示せず）により覆われているので、前面パネルを半透明の素材にすると、柔らかい光が移動することになり、前面パネルの一部を透明の素材にすると、はっきりと視認できる光が移動することになる。したがって、フィルター装置が自動清掃運転を行っていることを使用者は確実に視認することができるとともに、商品の特徴が使用者に強烈に印象づけられる。
【００１６】
なお、本実施の形態においては、光源８が移動することで使用者がフィルター装置の自動清掃運転を視認できるようにしたが、光源８に代えて、容易に視認できる形状の突起を吸引ノズル３に取り付けても同様な効果を奏する。また、吸引ノズル３の一部を着色したり、着色したシート等を吸引ノズル３の一部（使用者が容易に視認できる位置）に貼着するようにしてもよい。
【００１７】
すなわち、使用者の視覚を通してフィルター装置の自動清掃運転を認識できるものを吸引ノズル３に取り付けて吸引ノズル３とともに摺動させることで、使用者はフィルター装置が実際に自動清掃運転を行っていることを認識することができる。
【００１８】
実施の形態２．
図２は、本発明の実施の形態２にかかる空気調和機の室内ユニットに設けられたフィルター装置の構成例を示した図である。
【００１９】
上述した実施の形態１においては、左右に摺動する吸引ノズル３に光源８を取り付けているのに対し、本実施の形態においては、エアフィルター２の自動清掃運転時に所定の音を発生する音源１０を吸引ノズル３に取り付けたものである。
【００２０】
したがって、エアフィルター２の自動清掃運転が開始すると、吸引ノズル３が左右に移動し、吸引ノズル３とともに音源１０から発生した音も左右に移動するので、自動清掃運転を確実に使用者に伝達することができる。
【００２１】
すなわち、使用者の聴覚を通してフィルター装置の自動清掃運転を認識できるものを吸引ノズル３に取り付けて吸引ノズル３とともに摺動させることで、使用者はフィルター装置が実際に自動清掃運転を行っていることを認識することができる。
【００２２】
なお、上述した実施の形態１及び２においては、フィルター装置の自動清掃運転を使用者に認識させるようにしたが、吸引ノズル３に取り付けられた光源８、音源１０等の認識手段に加えて、空気調和機の運転を使用者に認識させる別の手段を室内ユニット本体に左右に摺動自在に取り付けてもよい。この場合、使用者は、フィルター装置の自動清掃運転のみならず空気調和機が運転しているかどうかを容易に認識することができる。
【００２３】
空気調和機の運転認識手段としては、上述した光源、音源、所定形状の突起、着色部材等を採用することができ、フィルター装置の自動清掃運転を示す認識手段と異なる光、音等を採用することで、使用者は空気調和機の運転あるいはフィルター装置の自動清掃運転をそれぞれ容易に認識できる。
【産業上の利用可能性】
【００２４】
本発明は空気調和機のみならず、比較的ゆっくりとした可動部を持つ集塵装置や、プリンターなどの用途にも適用できる。
【図面の簡単な説明】
【００２５】
【図１】本発明の実施の形態１にかかる空気調和機のフィルター装置の構成を示す斜視図である。
【図２】本発明の実施の形態２にかかる空気調和機のフィルター装置の構成を示す斜視図である。
【符号の説明】
【００２６】
１  フィルター枠、
２  エアフィルター、
３  吸引ノズル、
４  ガイドレール、
５  吸引ダクト、
６  吸引装置、
７  排気ダクト、
８  光源、
９  光源ホルダ、
１０  音源。
【図１】
2006153427.tif 000003
【図２】
2006153427.tif 000004
【手続補正書】
【提出日】平成17年10月14日(2005.10.14)
【手続補正１】
【補正対象書類名】特許請求の範囲
【補正対象項目名】全文
【補正方法】変更
【補正の内容】
【特許請求の範囲】
【請求項１】
室内ユニットを備えた空気調和機であって、
前記室内ユニットに設けられた熱交換器を通過する空気の塵埃を除去するエアフィルターと、該エアフィルターに沿って摺動自在の吸引ノズルと、該吸引ノズルに連結された吸引装置により構成されるフィルター装置を備えたことを特徴とする空気調和機。
【請求項２】
空気調和機の運転を認識できる認識手段を前記室内ユニットの本体に摺動自在に設けたことを特徴とする請求項１に記載の空気調和機。
【請求項３】
前記フィルター装置の自動清掃運転を認識できる認識手段を前記吸引ノズルに取り付け、自動清掃運転時、前記認識手段を前記吸引ノズルとともに摺動させるようにしたことを特徴とする請求項１に記載の空気調和機。
【請求項４】
前記認識手段が視覚を通して認識できるものであることを特徴とする請求項２あるいは３に記載の空気調和機。
【請求項５】
前記認識手段が光源であることを特徴とする請求項４に記載の空気調和機。
【請求項６】
前記認識手段が聴覚を通して認識できるものであることを特徴とする請求項２あるいは３に記載の空気調和機。
【請求項７】
前記認識手段が音源であることを特徴とする請求項６に記載の空気調和機。
【手続補正２】
【補正対象書類名】明細書
【補正対象項目名】全文
【補正方法】変更
【補正の内容】
【発明の詳細な説明】
【技術分野】
【０００１】
本発明は、室内ユニットの空気吸込口に設けられたエアフィルターを自動的に清掃する機能を備えた空気調和機に関する。
【背景技術】
【０００２】
従来の空気調和機のフィルター装置は、熱交換器の前面に、空気調和機の本体内部へ埃が侵入することを防ぐためのエアフィルターが設けられており、このエアフィルターは付着した塵埃を手で清掃できるように着脱自在に構成されている。こうした構成でのフィルター装置は頻繁なメンテナンスが必要となるだけでなく、メンテナンスが行われるまでの間にはエアフィルターが徐々に目詰まりしていき、その結果、熱交換器を通過する風量が低下し、空調能力が低下して消費電力の増大につながることとなる。
【０００３】
このため、エアフィルターのメンテナンスの手間を低減する目的で、吸引部が可動して、エアフィルターに付着した塵埃を定期的に清掃する自動清掃装置が提案されている（例えば、特許文献１参照。）。
【０００４】
【特許文献１】特開２００２−３４０３９５号公報
【発明の開示】
【発明が解決しようとする課題】
【０００５】
しかしながら、上記従来技術は、構造が複雑であるばかりでなく、可動する吸引部は空気調和機の内部にあって外側から見えないため、使用者が、エアフィルターの自動清掃が確実に行われているか分かり難いという課題があった。また、空気調和機の運転表示灯は取り付けられているものの、容易に視認できるものとは言い難く、空気調和機の運転も分かり難いという課題もあった。
【０００６】
本発明は、従来技術の有するこのような問題点に鑑みてなされたものであり、フィルター装置の自動清掃を簡素な構成で容易に行うことができるとともに、空気調和機の運転あるいはフィルター装置の自動清掃運転を使用者が容易に認識できる空気調和機を提供することを目的としている。
【課題を解決するための手段】
【０００７】
上記目的を達成するために、本発明は、室内ユニットを備えた空気調和機であって、前記室内ユニットに設けられた熱交換器を通過する空気の塵埃を除去するエアフィルターと、該エアフィルターに沿って摺動自在の吸引ノズルと、該吸引ノズルに連結された吸引装置により構成されるフィルター装置を備えたことを特徴とする。
【０００８】
また、空気調和機の運転を認識できる認識手段を室内ユニットの本体に摺動自在に設けたり、フィルター装置の自動清掃運転を認識できる認識手段を吸引ノズルに取り付け、自動清掃運転時、認識手段を吸引ノズルとともに摺動させるようにしている。
【０００９】
認識手段は視覚あるいは聴覚を通して認識できるものであり、光源あるいは音源を認識手段として採用することができる。
【発明の効果】
【００１０】
本発明によれば、フィルター装置を、エアフィルターに沿って摺動自在の吸引ノズルと、吸引ノズルに連結された吸引装置により構成したので、フィルター装置の自動清掃を簡素な構成で容易に行うことができる。また、空気調和機の運転あるいはフィルター装置の自動清掃運転を認識できる認識手段を室内ユニットの本体あるいは吸引ノズルに摺動自在に設けたので、空気調和機の運転あるいはフィルター装置の自動清掃運転を使用者は容易に認識することができる。
【発明を実施するための最良の形態】
【００１１】
以下、本発明の実施の形態について、図面を参照しながら説明する。
実施の形態１．
図１は本発明の実施の形態１にかかる空気調和機の室内ユニットに設けられたフィルター装置の構成例を示した図である。図１に示されるように、本実施の形態にかかるフィルター装置は、フィルター枠１と、フィルター枠１に支持固定され、熱交換器を通過する空気の塵埃を除去するエアフィルター２と、エアフィルター２の表面に沿って摺動自在の吸引ノズル３とを備えている。
【００１２】
吸引ノズル３は、フィルター枠１の上下端に設置された一対のガイドレール４により、エアフィルター２と極めて狭い間隙を保って円滑に左右に摺動することができ、エアフィルター上に付着した塵埃はこの吸引ノズル３より吸引される。また、吸引ノズル３には吸引ダクト５の一端が連結され、吸引ダクト５の他端は吸引装置６に連結される。吸引ダクト５は吸引ノズル３の摺動に差し支えないように折り曲げ可能なダクトで形成される。さらに、吸引装置６には排気ダクト７が連結され、室外へ引き回される。吸引ノズル３により吸引されたエアフィルターの塵埃は吸引ダクト５、吸引装置６、排気ダクト７を経由して室外へ排出される。
【００１３】
また、吸引ノズル３には、光源８と光源８を保持する光源ホルダ９が取り付けられており、光源８は使用者が容易に視認できる位置に設けられている。
【００１４】
以上のような構成により、自動清掃運転が開始すると、吸引装置６が吸引ノズル３から空気を吸引し、吸引ノズル３が左右に移動することで、エアフィルター２に付着した粉塵は吸引ノズル３に吸引される。したがって、吸引ノズル３に備えられた光源８を点灯もしくは点滅させることで、光源８の光は吸引ノズル３と共に左右に移動する。
【００１５】
通常使用時には、図１に示されるフィルター装置は、その前面を覆う前面パネル（図示せず）により覆われているので、前面パネルを半透明の素材にすると、柔らかい光が移動することになり、前面パネルの一部を透明の素材にすると、はっきりと視認できる光が移動することになる。したがって、フィルター装置が自動清掃運転を行っていることを使用者は確実に視認することができるとともに、商品の特徴が使用者に強烈に印象づけられる。
【００１６】
なお、本実施の形態においては、光源８が移動することで使用者がフィルター装置の自動清掃運転を視認できるようにしたが、光源８に代えて、容易に視認できる形状の突起を吸引ノズル３に取り付けても同様な効果を奏する。また、吸引ノズル３の一部を着色したり、着色したシート等を吸引ノズル３の一部（使用者が容易に視認できる位置）に貼着するようにしてもよい。
【００１７】
すなわち、使用者の視覚を通してフィルター装置の自動清掃運転を認識できるものを吸引ノズル３に取り付けて吸引ノズル３とともに摺動させることで、使用者はフィルター装置が実際に自動清掃運転を行っていることを認識することができる。
【００１８】
実施の形態２．
図２は、本発明の実施の形態２にかかる空気調和機の室内ユニットに設けられたフィルター装置の構成例を示した図である。
【００１９】
上述した実施の形態１においては、左右に摺動する吸引ノズル３に光源８を取り付けているのに対し、本実施の形態においては、エアフィルター２の自動清掃運転時に所定の音を発生する音源１０を吸引ノズル３に取り付けたものである。
【００２０】
したがって、エアフィルター２の自動清掃運転が開始すると、吸引ノズル３が左右に移動し、吸引ノズル３とともに音源１０から発生した音も左右に移動するので、自動清掃運転を確実に使用者に伝達することができる。
【００２１】
すなわち、使用者の聴覚を通してフィルター装置の自動清掃運転を認識できるものを吸引ノズル３に取り付けて吸引ノズル３とともに摺動させることで、使用者はフィルター装置が実際に自動清掃運転を行っていることを認識することができる。
【００２２】
なお、上述した実施の形態１及び２においては、フィルター装置の自動清掃運転を使用者に認識させるようにしたが、吸引ノズル３に取り付けられた光源８、音源１０等の認識手段に加えて、空気調和機の運転を使用者に認識させる別の手段を室内ユニット本体に左右に摺動自在に取り付けてもよい。この場合、使用者は、フィルター装置の自動清掃運転のみならず空気調和機が運転しているかどうかを容易に認識することができる。
【００２３】
空気調和機の運転認識手段としては、上述した光源、音源、所定形状の突起、着色部材等を採用することができ、フィルター装置の自動清掃運転を示す認識手段と異なる光、音等を採用することで、使用者は空気調和機の運転あるいはフィルター装置の自動清掃運転をそれぞれ容易に認識できる。
【産業上の利用可能性】
【００２４】
本発明は空気調和機のみならず、比較的ゆっくりとした可動部を持つ集塵装置や、プリンターなどの用途にも適用できる。
【図面の簡単な説明】
【００２５】
【図１】本発明の実施の形態１にかかる空気調和機のフィルター装置の構成を示す斜視図である。
【図２】本発明の実施の形態２にかかる空気調和機のフィルター装置の構成を示す斜視図である。
【符号の説明】
【００２６】
１  フィルター枠、
２  エアフィルター、
３  吸引ノズル、
４  ガイドレール、
５  吸引ダクト、
６  吸引装置、
７  排気ダクト、
８  光源、
９  光源ホルダ、
１０  音源。